(57)【要約】【課題】医療用輸液容器などの小型軽量の吊下物を任意高さに簡単自在に制御でき、電源が不要で操作音が小さくメンテナンスフリーの昇降装置を開発する。【解決手段】本発明に係る昇降装置２は、一端に吊下物を吊下げるための係止手段８を装着したワイヤ４と、このワイヤ４を巻き上げるための巻取ドラム２２と、前記ワイヤ４を巻き取るために巻取ドラム２２を巻取方向に回転付勢する巻取付勢手段２４と、前記ワイヤ４を拘束してワイヤ４の巻取を停止させ、またワイヤ４の拘束を解除してワイヤ４の巻取を行うストッパー５０と、前記巻取ドラム２２がワイヤ４の巻取方向に回転するときに巻取ドラム２２の回転に制動を加えて回転速度を低速に調整する制動手段３４から構成される。ワイヤ拘束状態でも、多少の力でワイヤ４は下降し、力の解除でワイヤ４は直ちに停止する。ワイヤ４の拘束解除ではワイヤ４は制動力により低速で安全に騒音無く上昇する。【選択図】　図１
2004141517.tif 000002
【特許請求の範囲】
【請求項１】
一端に吊下物を吊下げるための係止手段を装着したワイヤと、このワイヤを巻き上げるための巻取ドラムと、前記ワイヤを巻き取るために巻取ドラムを巻取方向に回転付勢する巻取付勢手段と、前記ワイヤを拘束してワイヤの巻取を停止させ、またワイヤの拘束を解除してワイヤの巻取を行うストッパーと、前記巻取ドラムがワイヤの巻取方向に回転するときに巻取ドラムの回転に制動を加えて回転速度を低速に調整する制動手段から構成されることを特徴とする昇降装置。
【請求項２】
請求項１に記載の昇降装置と、この昇降装置を内部に固定配置するハウジングと、このハウジングの所要部に穿設された固定孔から構成され、固定孔を介して建造物に固着できることを特徴とする昇降装置。
【請求項３】
前記巻取付勢手段は、巻取ドラムに同軸に固定配置されて一体に回転する補助付勢ドラムと、この補助付勢ドラムと分離して配置される主付勢ドラムと、この主付勢ドラムに巻回されて主付勢ドラムをその巻回方向に巻回付勢するテープスプリングから構成され、テープスプリングの一端を補助付勢ドラムに固定して補助付勢ドラムをワイヤの巻取方向に回転付勢して巻取ドラムに回転付勢力を与える請求項１に記載の昇降装置。
【請求項４】
前記ストッパーは、ワイヤを移動可能に挿通した状態で固定配置されるケーシングと、同時にワイヤを移動可能に挿通した状態で前記ケーシングに先端部を挿入されるワイヤ拘束体と、このワイヤ拘束体の先端部に配置されしかもワイヤとケーシング内のテーパ部に接触可能に配置された転動自在な複数のボールと、前記ケーシング内に配置されてワイヤ拘束体をケーシングに吸引付勢するスプリングから構成され、通常はスプリングの付勢力により前記先端部が吸引されてボールがテーパ部とワイヤに同時圧接してワイヤを拘束し、ワイヤ拘束体をケーシングから分離する方向に引っ張ってスプリングの前記付勢力を緩めてボールを自由にしてワイヤの拘束を解除する請求項１に記載の昇降装置。
【請求項５】
前記制動手段は、前記巻取ドラムの軸心部に挿入されて軸回転駆動に対し制動作用を発揮する制動軸と、この制動軸に対し着脱自在に連結される制動部材と、この制動部材を回転ドラムに一体化する固定手段から構成され、回転ドラムが巻取方向に回転するときに制動軸の回転により回転制動力が生じる請求項１に記載の昇降装置。
【請求項６】
請求項２に記載の昇降装置を室内の所要部に固定し、ハウジングの下面からワイヤと係止手段を垂下させ、ワイヤを手動下降させて係止手段に吊下物を吊下げ、ストッパーを操作してワイヤの拘束や拘束解除を行って吊下物を任意位置に固定配置すべく昇降制御することを特徴とする昇降装置の昇降操作方法である。
【発明の詳細な説明】
【０００１】
【発明の属する技術分野】
本発明は治療用輸液容器（点滴容器とも云う）、就寝状態の読書用書籍架台などの任意の小型軽量な吊下物を任意位置に昇降配置する昇降装置に関し、更に詳細には、小さな力により簡単な操作で吊下物を上昇・下降でき、しかも操作音が小さく電源が不要な昇降装置に関する。
【０００２】
【従来の技術】
従来、昇降装置としては、工場や作業場におけるクレーン装置が一般的である。この種のクレーン装置は、鉄骨などの重量物を吊り上げて所定位置に搬送制御するものであり、大型・大重量であるため極めて高価である。従って、病院や家庭や事務所などでは、小型軽量な吊下物を吊下げ制御するために、このようなクレーン装置を簡易に使用できるものではない。
【０００３】
例えば、病院や家庭で、就寝状態で本を読む場合には、寝た状態で本を手に取って読んだり、高価な読書用書籍架台を特定位置に固定配置して、この上に本を装着して使用することが多い。このような場合、手が疲れたりして長時間の読書は無理であり、また読書用書籍架台が場所を取って邪魔になるケースが多い。このため、読書用書籍架台を天井から吊下げて簡易に高さ調整できる昇降装置が要望されていた。
【０００４】
【発明が解決しようとする課題】
特に、病院で行われる点滴の場合を説明する。病院では、患者に対し点滴を行う場合、点滴用の治療用輸液容器をスタンドに吊下げることが多い。スタンドには、床やベッドに固定されたスタンドや、キャスターを設けて床に対し移動可能なスタンドがある。
【０００５】
図１０は治療用輸液容器を従来の固定スタンドに吊下げる場合の使用状態図である。床９６からスタンド９７が立設され、このスタンド９７から吊フック９９を設けた水平バー９８が配置されている。
【０００６】
点滴をする場合には、吊紐部９２を吊フック９９に係止して治療用輸液容器９０を吊下げる。治療用輸液容器９０から点滴チューブ１００を垂下して患者９４に点滴操作を施す。治療用輸液容器９０の取り付け位置は可変調節できないから、容器口部９０ａと患者９４との間隔は高さＨに固定されてしまう。
【０００７】
治療用輸液の供給流量（点滴速度）は高さＨに依存するから、高さＨを可変調整できないため、このままでは治療用輸液の供給流量を可変調整することができない。供給流量を可変するためには、スタンド９７の高さを可変調整するか、吊紐部９２の長さを可変調整する以外に無い。しかし、このような操作は面倒であり、忙しい看護士の仕事を加重にする原因の一つになっている。
【０００８】
また、スタンド９７はかなり大きな容積を必要とするから、このようなスタンド９７を病室に配置すると、狭い病室が更に狭くなるといった風である。特に、スタンド９７が病室に存在すると、人がスタンドと衝突したり、その際にスタンドが転倒して不測の事態が生じる危険性もある。
【０００９】
従って、本発明は、小型軽量の吊下物を任意の高さに簡単にしかも自在に調節制御できる昇降装置を提供することを目的とする。また、本発明は、電源が不要で操作音が小さく、更に天井や壁面に固定配置することによって、未使用時には天井や壁面にコンパクトに収納でき、吊下げ具の転倒や衝突などの事故を防止できる昇降装置を提供することを目的とする。
【００１０】
【課題を解決するための手段】
本発明は上記課題を解決するためになされたものであり、第１の発明は、一端に吊下物を吊下げるための係止手段を装着したワイヤと、このワイヤを巻き上げるための巻取ドラムと、前記ワイヤを巻き取るために巻取ドラムを巻取方向に回転付勢する巻取付勢手段と、前記ワイヤを拘束してワイヤの巻取を停止させ、またワイヤの拘束を解除してワイヤの巻取を行うストッパーと、前記巻取ドラムがワイヤの巻取方向に回転するときに巻取ドラムの回転に制動を加えて回転速度を低速に調整する制動手段から構成される昇降装置である。従って、ワイヤの拘束状態では、ワイヤの拘束力よりも大きな力でワイヤを下方に引っ張ればワイヤは下降し、しかもその力を外せばワイヤは直ちに拘束されて下降を停止するから、吊下物を任意の高さ位置に可変調節できる。ワイヤ拘束力を小さく設定すればこの引張力も小さくて済むから、大人から子供に至る広範囲の人たちが小さな力で簡単に操作できる。またワイヤの拘束を解除すれば、巻取付勢手段によりワイヤは上昇し、しかも制動手段により制動力を受けた状態で上昇するから、ワイヤの上昇速度は低速になるため極めて安全にワイヤを収納することができる。また、ワイヤ拘束状態で吊下物を下降させ過ぎた場合に、拘束解除によって吊下物を任意の正しい位置まで低速で安全に上昇させることもできる。この装置は電源が不要であるから、どのような場所にでも対応でき、近代的設備の家屋や病院でも、また電気設備の無い任意の場所でも使用できる利点を有する。特に、医療用輸液容器の昇降装置として使用した場合には、病院や電源の無い場所でも医療用輸液容器を任意の高さに配置できるから、点滴速度の調整が極めて容易になる利点がある。
【００１１】
第２の発明は、前記昇降装置と、この昇降装置を内部に固定配置するハウジングと、このハウジングの所要部に穿設された固定孔から構成され、固定孔を介して建造物に固着できる昇降装置である。ハウジングの固定孔を介して室内の壁面や天井にボルトで固定すると、吊下げ具を設置する余分なスペースが不要になり、また未使用時にはワイヤと係止手段は上方に収納されるから収納がコンパクトであるだけでなく、室内において邪魔にならない特徴がある。特に、病院などで医療用輸液容器の吊下げに使用する場合には、第１の発明の作用効果に加えて狭い病室の邪魔にならず、しかも装置との衝突事故などを防止できるため、従来からよく生起した吊下げ具の転倒事故が無くなり、病院の安全性をより一層に高める効果がある。
【００１２】
第３の発明は、巻取付勢手段が、巻取ドラムに同軸に固定配置されて一体に回転する補助付勢ドラムと、この補助付勢ドラムと分離して配置される主付勢ドラムと、この主付勢ドラムに巻回されて主付勢ドラムをその巻回方向に巻回付勢するテープスプリングから構成され、テープスプリングの一端を補助付勢ドラムに固定して補助付勢ドラムをワイヤの巻取方向に回転付勢して巻取ドラムに回転付勢力を与える昇降装置である。テープスプリングの機械的弾性力を巻取付勢手段の原動力とするから、ワイヤの巻取に電源が不要になるため電源の無い地域でも本装置を使用することができ、しかもテープスプリングの長期安定性はゼンマイを原動力とする装置群で従来から実証済みであるから、この装置の長期耐久性が保証される。従って、電源の無い遠方の地域で使用されても故障の心配が無く、メンテナンスフリーの昇降装置である。
【００１３】
第４の発明は、ストッパーが、ワイヤを移動可能に挿通した状態で固定配置されるケーシングと、同時にワイヤを移動可能に挿通した状態で前記ケーシングに先端部を挿入されるワイヤ拘束体と、このワイヤ拘束体の先端部に配置されしかもワイヤとケーシング内のテーパ部に接触可能に配置された転動自在な複数のボールと、前記ケーシング内に配置されてワイヤ拘束体をケーシングに吸引付勢するスプリングから構成され、通常はスプリングの付勢力により前記先端部が吸引されてボールがテーパ部とワイヤに同時圧接してワイヤを拘束し、ワイヤ拘束体をケーシングから分離する方向に引っ張ってスプリングの前記付勢力を緩めてボールを自由にしてワイヤの拘束を解除する昇降装置である。ボールがワイヤに圧接することによりワイヤを拘束するから、この圧接摩擦力より大きな外力でワイヤを下降させれば、ワイヤは簡単に下降し、しかもその外力を取りさればボールの圧接摩擦力は直ちに回復作用してワイヤを瞬時に停止できる利点がある。つまり、手動でワイヤを下降させれば下降し、手を外せばワイヤはその位置で停止する極めて俊敏な機械的動作が実現できる。また、ワイヤ拘束体を手動で下方に引っ張るだけで、ボールの圧接は無くなってワイヤは自動的に上昇し、ワイヤの収納が自動的に為される。
【００１４】
第５の発明は、制動手段が、前記巻取ドラムの軸心部に挿入されて軸回転駆動に対し制動作用を発揮する制動軸と、この制動軸に対し着脱自在に連結される制動部材と、この制動部材を回転ドラムに一体化する固定手段から構成され、回転ドラムが巻取方向に回転するときに制動軸の回転により回転制動力が生じる昇降装置である。従って、制動部材が制動軸と連結している限り、ワイヤの低速上昇が安定して実現でき、逆に制動部材を制動軸から取り外せば制動作用が無くなってワイヤの高速上昇が発現する。制動作用によるワイヤの低速上昇はワイヤの収納の安全性を高め、また吊下物の上昇動作でも微妙な高さ調整を可能にする。制動軸には油圧ダンパー、機械摩擦ダンパー、磁石による電磁ダンパー、機械的締付ダンパーなどの各種の制動用ダンパーが利用できる。
【００１５】
第６の発明は、前記昇降装置を室内の所要部に固定し、ハウジングの下面からワイヤと係止手段を垂下させ、ワイヤを手動下降させて係止手段に吊下物を吊下げ、ストッパーを操作してワイヤの拘束や拘束解除を行って吊下物を任意位置に固定配置すべく昇降制御する昇降装置の昇降操作方法である。昇降装置を室内にコンパクトに配置でき、また手動により係止手段を任意位置まで簡単に下降でき、ストッパー解除による上昇操作と手動による下降操作の組み合わせだけで、年少から年長に至る任意の人達が小さな力で極めて簡単に吊下物の高さ調整や、ワイヤの収納操作を実施できる利点がある。
【００１６】
【発明の実施の形態】
以下に、本発明に係る昇降装置及び昇降操作方法の実施形態を添付する図面に従って詳細に説明する。
【００１７】
図１は本発明に係る昇降装置２の分解斜視図である。昇降装置２の下側には、ワイヤ４が重錘６により鉛直下方に垂下され、重錘６の下には吊下物を吊下げるフック状の係止手段８が取り付けられている。大きな基板１０の上には、水平板１４と垂直板１６からＬ字状に構成された取付部材１２が配置される。
【００１８】
基板１０の中央には複数本のボルト状突起１８が突設され、これらのボルト状突起１８に水平板１４を挿通して重ね、上からナット１９で締め付けて、基板１０と取付部材１２とが一体に固定される。
【００１９】
ワイヤ挿通用ナット２０は基板１０と水平板１４と一体に固定され、ワイヤ４はこのワイヤ挿通用ナット２０を通して巻取ドラム２２に巻回されている。ワイヤ４の最終端は巻取ドラム２２に固着される。この巻取ドラム２２を巻取方向に回転するとワイヤ４は上昇して収納され、逆に反巻取方向に回転するとワイヤ４は下降して吊下物を吊下げる態勢に入る。
【００２０】
巻取ドラム２２の背後には、巻取付勢手段２４が配置されている。この巻取付勢手段２４は補助付勢ドラム２６と主付勢ドラム２８からなり、補助付勢ドラム２６は前記巻取ドラム２２と同軸に一体に形成され、主付勢ドラム２８は補助付勢ドラム２６と別体に分離して配置される。即ち、補助付勢ドラム２６と主付勢ドラム２８は垂直板１６に回転自在に取り付けられる。
【００２１】
主付勢ドラム２８にはテープスプリング３０が巻回され、テープスプリング３０のテープ端部３０ａは補助付勢ドラム２６の軸部にネジ３２により固定される。テープスプリング３０の残りの端部は主付勢ドラム２８の軸部に固定されている。
【００２２】
テープスプリング３０は常に主付勢ドラム２８に巻回されるように付勢されており、図１に示される状態が回転付勢力により完全に巻回されたテープスプリング３０の状態を示している。従って、この回転付勢力により、巻取ドラム２２と補助付勢ドラム２６は一体となってワイヤ４の巻取方向に回転するように常時付勢されている。
【００２３】
巻取ドラム２２と補助付勢ドラム２６の軸位置には制動手段３４が配置されている。図１には、制動手段３４を構成する制動部材３５が巻取ドラム２２の側面にネジ３５ａで固定される状態が示されている。制動手段３４の詳細は図３を用いて後述する。
【００２４】
固定部材３６はｎ字状に形成された部材で、天板３８と側板３９、３９から構成される。天板３８には固定孔３８ａが穿設され、この天板３８ａにボルトを挿通して壁面や天井面、その他の部材に固着すれば、この装置を室内や室外の邪魔にならない位置にコンパクトに配置することができる。
【００２５】
側板３９、３９の下部は内方に曲げられて折曲板４０、４０が形成されている。折曲板４０にはネジ孔４０ａが穿設されている。一方、基板１０にも複数のネジ孔４１が穿設されており、複数のネジ４２をネジ孔４１、４０ａに挿通すれば、固定部材３６を基板１０と一体化できる。勿論、ネジ４２をナット締めしても良い。
【００２６】
このように、固定部材３６と基板１０は、この昇降装置２のハウジングを形成する。前述した昇降装置の実質を為す構造はこのハウジングの内部に一体的に組み込まれた状態にあり、ワイヤ４と重錘６と係止手段８がハウジングの下方に垂下する。従って、ハウジングを壁面、天井又は他の部材に固定すれば、本昇降装置２が邪魔にならないように配設されることができる。
【００２７】
図２は本発明に係る昇降装置２の内部構造の平面図である。ワイヤ４が巻取ドラム２２に巻回されており、その先端がワイヤ挿通用ナット２０から送り出されている。また、制動手段３４は制動部材３５と破線で描かれた制動軸３７から構成されている。更に、テープスプリング３０が主付勢手段２８から巻き出されてそのテープ端部３０ａが補助付勢ドラム２６にネジ３２により固定される様子が示されている。
【００２８】
図３は本発明に係る昇降装置２の制動機構近傍の横断面図である。巻取ドラム２２と補助付勢ドラム２６は一体に研削形成されているが、別部材として形成された後に一体化されてもよい。ワイヤ４が巻取ドラム２２に巻回されている状態が示されている。
【００２９】
制動手段３４は制動部材３５と制動軸３７から構成される。制動部材３５は、制動板３５ｂと、制動突出部３５ｃと、その先端に形成された制動キー３５ｄから一体に形成されている。この制動部材３５はネジ３５ａにより巻取ドラム２２に固定されている。
【００３０】
巻取ドラム２２と補助付勢ドラム２６は同軸に形成されており、その軸心部に制動軸３７が軸装されている。制動軸３７の軸長は図では補助付勢ドラム２６の軸長程度であるが、更に延出して巻取ドラム２２の近辺に達してもよい。
【００３１】
制動軸３７の一端である軸端部３７ｂは垂直板１６に軸支されている。また、制動軸３７の他端にはキー溝３７ａが刻設され、このキー溝３７ａに制動キー３５ｃが噛合して一体化される。つまり、補助付勢ドラム２６の作用で巻取ドラム２２が巻取方向に回転すると、キーとキー溝の連結で、制動軸３７も同方向に回転する。
【００３２】
制動軸３７の制動作用は次のようにして生じる。図示される制動軸３７は、軸端部３７ｂが垂直板１６に締付状態で軸支されている。軸端部３７ｂが巻取方向に回転すると、垂直板１６との締付状態により強力な接触摩擦力が生じる。この摩擦力によって制動軸３７の巻取方向回転が制動を受けるため、その回転速度は高速になることは無く、低速に保持される。
【００３３】
ワイヤ４の手動引出により、巻取ドラム２２が反巻取方向に回転した場合でも、制動軸３７は反巻取方向に回転し、同様の制動力が生じる。しかし、この反巻取方向では後述するストッパー５０のワイヤ拘束力が主たる制動力を与えるから、制動軸３７の制動力は付加的な要素となる。しかし、上述した巻取方向ではワイヤ拘束力は無くなるため制動軸３７による制動力が主たる制動効果を発現し、ワイヤ４や重錘６や係止手段８の上昇速度を顕著に低下させて、安全性を十分に実現する。
【００３４】
図３では、制動軸３７として機械的締付ダンパーが利用されてが、制動軸３７の端面と垂直板１６との圧接面摩擦力を利用した機械摩擦ダンパーを利用することもできる。その他、公知の種々の機械摩擦ダンパが適宜利用できることは云うまでもない。尚、上述では、制動軸は巻取方向と反巻取方向の両回転に対し制動作用を発揮する双方向制動軸を利用したが、巻取方向にだけ制動作用が発現する一方向制動軸が用いられても同様の効果を奏する。反巻取方向では、ワイヤ拘束力が制動力となるから、ワイヤの引き出し制動を加重にしないためには一方向制動軸が有効な場合もある。
【００３５】
油圧ダンパーや電磁ダンパーも利用できる。油圧ダンパーは、制動軸３７の中にオイルを封入し、制動軸３７の内部に翼を一体に形成して構成される。制動軸３７の回転と同時に翼が回転し、この翼がオイル中を回転通過するため、オイルから強い流体摩擦を受け、制動軸３７の回転にブレーキが作用する。
【００３６】
電磁ダンパーは、磁石と導電体が相対運動を生起した場合に、導電体に渦電流が発生して相対運動を停止させる電磁制動力が作用するダンパーである。制動軸３７にこのような電磁制動構造を採用することもできる。このように、制動手段２４には公知の多様なダンパー機構を採用することができる。
【００３７】
図４は本発明に係る昇降装置２の正面図である。この正面図に初めて出る構造は、ストッパー５０である。このストッパー５０は、ワッシャー４４を介して基板１０に固定されるケーシング５１と、このケーシング５１に対し上下に微動操作できるワイヤ拘束体６０と、このワイヤ拘束体６０にピン７２により回動自在に接続されたリング７０から構成されている。ストッパー５０以外の部材は既に説明されている。
【００３８】
図５は本発明に係る昇降装置２のストッパー５０の拡大縦断面図である。ケーシング５１の先端には雄ネジ管突出部５７が形成され、この雄ネジ管突出部５７をワッシャ４４を介して基板１０と水平板１４に挿通し、ワイヤ挿通用ナット２０で締結してケーシング５１は装置本体に固定されている。
【００３９】
ケーシング５１の内部には雌ネジ部５２とテーパ部５３により先細りの縮径空間５４が形成され、その先端に段部５５を介して細空間５６が連続して形成されている。雄ネジ管突出部５７と細空間５６及び縮径空間５４にはワイヤ４が挿通されている。
【００４０】
ケーシング５１の下方にはワイヤ４を挿通させたワイヤ拘束体６０が配置されている。ワイヤ拘束体６０は内部に空間６２を有した基部６１を中心に構成され、基部６１の上部には、細い突出管６３とテーパ管６４と先端管６７が一体に突設され、その中心軸にワイヤ４が挿通されている。
【００４１】
テーパ管６４は大径のテーパ管下端６５から小径のテーパ管上端６６に向かって先細り状に形成されている。このテーパ管６４の途中部に３個の孔部６８が穿設されており、この孔部６８にボール６９が転動自在に配置される。このボール６９はテーパ管６４の軸心に挿通されているワイヤ４に転接している。
【００４２】
基部６１の下部には、ピン７２によりリング７０が揺動自在に連結されている。また、基部６１の上端には雄ネジ管体７４が上下動自在に別体として配置され、この雄ネジ管体７４の上端７５とテーパ管下端６５の間にスプリング７６が配置されている。
【００４３】
スプリング７６はテーパ管下端６５を常に上方へ押圧するように付勢しており、図５の状態で基部６１を固定して雄ネジ管体７４を上方へ押圧して上昇させると、雄ネジ管体上端７５とテーパ管下端６５の間でスプリング７６は更に圧縮される。従って、スプリング７６がテーパ管下端６５を上方に押圧する付勢力は増大することになる。
【００４４】
図６は本発明に係る昇降装置２のストッパー５０におけるワイヤ拘束体６０の外観図である。このワイヤ拘束体６０には、一体部材ではない雄ネジ管体７４とスプリング７６は省略されている。テーパ管６４の孔部６８にボール６９が配置されている状態が示されている。また、右側のＡ−Ａ線矢視図では、３個のボールがテーパ管６４に放射状に配置され、中心にあるワイヤ４と転接している状態が示されている。
【００４５】
図７は、ワイヤ４を固定又は下降させる場合においてワイヤ４を拘束した状態のストッパー５０の拡大縦断面図である。雄ネジ管体７４をケーシング５１の雌ネジ部５２に螺合すると、雄ネジ管体７４はケーシング５１と一体化する。リング７０を下方に引っ張らない状態では、スプリング７６はテーパ管６４を上方（矢印ａ方向）へ押圧し、先端管６７が細空間５６に深く進入して、ワイヤ拘束体６０の基部６１が雄ネジ管体７４に最接近する。
【００４６】
テーパ管６４が上動すると、ボール６９はテーパ部５３とワイヤ４の間に狭持され、ワイヤ４の周囲がボール６９の圧接力により強く狭着される。この状態をワイヤ拘束状態といい、ワイヤ４はボール６９の圧接力によりその動きを停止し、吊下物があってもワイヤ４はその位置で停止し、吊下物は吊下げられたまま静止状態を保持する。勿論、吊下物が無い場合でも停止状態になる。
【００４７】
より詳細に説明する。この状態でワイヤ４を無理に上昇させると、ボール６９はテーパ部５３のより細い空間に挟みこまれるから、ボール６９の圧接力は更に増大してワイヤ４を無理に上昇させることは不可能になる。つまり、ワイヤ４の拘束状態では、ワイヤ４を手動でも機械力でも上昇させることはできない。
【００４８】
ワイヤ４を手動で下方向（矢印ｂ方向）に引っ張る場合には、その引張力の大きさで二通りに分かれる。今、ボール６９のワイヤ４に対する圧接力で、ワイヤ４には移動方向と逆向きに圧接摩擦力が作用している。つまり、この圧接摩擦力より小さな引張力ではワイヤ４を下降させることはできない。
【００４９】
この圧接摩擦力より大きな力でワイヤ４を下向きに引っ張ると、ワイヤ４は下降を始める。しかし、手を離すとボール６９は直ちにワイヤ４を拘束して、ワイヤ４は停止する。換言すれば、手で下方に引っ張ればワイヤ４は下がり、手を離すとその位置に停止したままになる。
【００５０】
このように、リング７０に力を加えない自由状態では、ボール６９がワイヤ４を拘束し、ワイヤ４は停止状態となる。また、この拘束状態でも、ワイヤ４を手動で引き下げることができる。従って、当初、ワイヤ４は完全に巻き取られた初期位置にあるから、リング７０に力を掛けないで、ワイヤ４の先端にある係止手段８を手動で引張って、係止手段８を適当な高さまで降下させる。
【００５１】
この手動降下の過程では、巻取ドラム２２は反巻取方向に回転し、補助付勢ドラム２６にテープスプリング３６が巻き込まれてゆく。この巻き込みにより、巻取方向への回転付勢力が作用するが、ボール６９がワイヤ４を拘束してワイヤ４は巻き取られることがない。また、ワイヤ４の下降過程ではボール６９のワイヤ拘束力がワイヤに対する主たる制動力となり、ワイヤ４を高速に降下させることはできず、極めて安全な手動降下が達成できる。
【００５２】
図８はワイヤ４を巻き取る場合においてワイヤ４の拘束を解除した状態のストッパー５０の拡大縦断面図である。ワイヤ４と係止手段８を降下させた後、その係止手段８に吊下物を吊下げる。この段階では、吊下物は停止している。
【００５３】
この停止状態で、リング７０を下方（矢印ｃ方向）に引くと、この引張力によりワイヤ拘束体６０が下動し、テーパ管下端６５がスプリング７６を圧縮させるこの圧縮量だけ、ワイヤ拘束体６０とケーシング５１の間に隙間Ｂが形成される。従って、ボール６９も下動し、ボール６９はテーパ部５３とワイヤ４の狭着状態から離れて自由状態へと移行する。これをワイヤ４の拘束解除状態という。
【００５４】
ボール６９が自由になると、巻取付勢手段２４の巻取付勢力がワイヤ４を強制的に矢印ｄ方向に引き上げて、ワイヤ４を巻取ドラム２２に巻き取ってゆく。リング７０に対する下方引張力が作用している間、この巻取は継続する。
【００５５】
また、この巻取過程においては、制動手段３４の制動力が顕著に作用するから、ワイヤ４の上昇速度は低速になり、吊下物は安全確実に上昇してゆく。この制動力による低速効果は反巻取方向と比較して顕著に現れる。反巻取方向（下降過程）では、ストッパー５０によるワイヤ拘束力が主たる制動作用を示すから、制動手段３４による制動効果は目立たない。しかし、巻取方向（上昇過程）ではワイヤ拘束力は解除されるから、制動手段３４が主たる制動力を付与するのである。制動手段３４として一方向制動手段を使用すると、巻取方向には制動力を発現するが、反巻取方向には制動力を発現しない。この場合には、反巻取方向ではワイヤ拘束力だけがワイヤ制動効果を発揮する。吊下物が適当な高さまで吊り上げられたとき、下方引張力を解除してリング７０を自由にすると、ボール６９がワイヤ４を拘束してその巻取は停止し、吊下物はその位置に保持された状態になる。
【００５６】
吊下位置を微調整するには、ワイヤ４を手動で降下させる操作と、またリング７０を引張ってワイヤ４を上昇させる操作を繰り返せばよい。つまり、ワイヤ拘束状態では手動降下操作を行い、ワイヤの拘束解除状態ではワイヤの上昇操作が行える。
【００５７】
最後に、吊下物を係止手段８から取り外した後、リング７０に矢印ｃ方向への引張力を作用させ続けると、ワイヤ４は上昇を続ける。ワイヤ４が最上昇位置にまで達すると、巻取付勢手段２４の巻取付勢力が消失し、巻取操作は停止する。この段階で、昇降装置２はワイヤ４の収納状態、即ち初期状態に復帰したことになる。
【００５８】
図９は本発明に係る昇降装置を用いて吊下物の一種である治療用輸液容器を昇降調整する場合の使用説明図である。この昇降装置２は小型の軽量物であればどのような吊下物でも昇降制御することができる。吊下物としては、例えば、治療用輸液容器、就寝状態の読書用書籍架台、百貨店や量販店などの宣伝広告物など、天井や壁面などから吊下げるものであれば何でもよい。以下では、その典型例として、治療用輸液容器について説明する。
【００５９】
（９Ａ）では、昇降装置２はボルト８２により天井８０に固定されている。係止手段８やワイヤ４は最上位置に巻き上げられており、病室内で人の動きがあっても、収納状態にある昇降装置２が人の邪魔になることはなく、衝突事故や転倒事故なども全く生じる余地が無い。この昇降装置２は小型であるから、天井８０に固定されるとほとんど目立たないので、病室の環境美化に貢献できる。
【００６０】
この昇降装置２を使用する場合には、手８８でフック棒８４を把握し、先端のフック８６を天井８０付近にぶら下がっている係止手段８に係合させる。係合させた後、フック棒８６を矢印ｅ方向に引き下ろし、ストッパー５０をワイヤ拘束状態のまま、ワイヤ４を吊下作業位置まで下降させる。このような操作は僅かな力で行えるから、女性・男性を問わず、また年少から年配に至る人までが簡単に操作することができる。
【００６１】
この下降状態では、主としてワイヤ拘束力によりワイヤ４はゆっくり安全に下降する。また、フック８６を係止手段から外すと、その位置で直ちにワイヤ拘束力が強力に働き、ワイヤ４はその位置で停止する。
【００６２】
（９Ｂ）では、停止している係止手段８に治療用輸液容器９０を吊下げる。吊紐部９２を係止手段９２に引っ掛けるだけでよい。係止手段８の形状は、フック形状であるだけでなく、吊下物の種類によって異なる。例えば、百貨店の宣伝広告物は板や厚紙が多いから、その両端を把持するために、係止手段８はクリップ状が適当である。
【００６３】
（９Ｃ）では、手でフック棒８４を把握し、フック８６をリング７０に引っ掛ける。フック棒８４を矢印ｆ方向に引くと、リング７０が引き下げられ、このリング７０の引き下げ状態では、ストッパー５０は拘束解除状態（フリー状態）となる。従って、制動力を受けながら、ワイヤ４はゆっくりと安全確実に巻き取られてゆき、治療用輸液容器９０は矢印ｇ方向に低速で安全に上昇する。ワイヤ移動が低速で行われるから、発生音が小さくなり、病院における静寂性を確保できる。
【００６４】
治療用輸液容器９０が目的高さｈにまで達すると、フック８６をリング７０から取り外す。取り外しと同時に、ストッパー５０は直ちに拘束状態となり、ワイヤ４の上昇は停止する。もし、目的高さｈを微調整する場合には、フック８６でリング７０を引けばワイヤ４は上昇するし、また係止手段８を手動で下降させればワイヤ４は下降する。この操作を繰り返して微調整が行われる。
【００６５】
点滴操作では、目的高さｈによって点滴速度が異なり、治療用輸液容器９０の上下調整はかなり重要な操作である。この昇降装置２を使用すれば、上下調整だけでなく、このような微調整も容易に行える利点がある。
【００６６】
この昇降装置２は電源が不要であるから、電気系統の故障がなく、しかも繰り返し耐久回数は数千回から１万回に及ぶ。従って、この装置はメンテナンスフリーであるから、この昇降装置２を壁や天井にボルトで固定した場合に最適な耐久性を発揮する。また、昇降装置２の動作には潤滑油が不要であり、病室に油汚れを引き起こさない。
【００６７】
本発明は上記実施形態に限定されるものではなく、本発明の技術的思想を逸脱しない範囲における種々の変形例、設計変更などをその技術的範囲内に包含するものであることは云うまでもない。
【００６８】
【発明の効果】
第１の発明によれば、ストッパーの拘束状態では、その拘束力よりも大きな力でワイヤは下降し、その力を外すとワイヤは直ちに拘束されて下降を停止し、係止手段や吊下物を任意位置に可変調節できる。ワイヤ拘束力を小さくすれば引張力も小さくて済むから、どんな人達でも小さな力で簡単に操作できる。またストッパーの拘束を解除すれば、巻取付勢手段によりワイヤは自動的に上昇し、しかも制動力を受けた状態で上昇するから、ワイヤの上昇速度は低速になるため騒音がなく、極めて安全にワイヤを収納したり、吊下物を上昇させることができる。また、拘束と拘束解除を微妙に繰り返すことにより昇降微調整を行える。この装置は電源が不要であるから、近代的設備の家屋や病院でも、また電気設備の無い任意の場所でも使用できる利点を有する。潤滑材を用いないでも数千回から１万回程度の繰り返し耐久性を有し、油汚れがなくメンテナンスフリーの昇降装置を提供できる。特に、医療用輸液容器の昇降装置として使用した場合には、病院や電源の無い場所でも医療用輸液容器を任意の高さに配置できるから、点滴速度の調整が極めて容易になる利点がある。
【００６９】
第２の発明によれば、この昇降装置をハウジングの固定孔を介して室内の壁面や天井にボルトで固定すると、余分なスペースが不要になり、また未使用時には装置全体がコンパクトであるから、室内において邪魔にならず、環境美化に貢献できる特徴がある。特に、病院などで医療用輸液容器の吊下げに使用する場合には、狭い病室の邪魔にならず、装置との衝突事故などを防止できるため、従来からよく生起した吊下げ具の転倒事故が無くなり、病院の安全性をより一層に高める効果がある。
【００７０】
第３の発明によれば、テープスプリングの機械的弾性力を巻取付勢手段の原動力とするから、ワイヤの巻取に電源が不要であり、電源の無い地域でも本装置を使用することができる。また、テープスプリングはゼンマイの一種であり、この種の装置の耐久性は極めて高く、本装置も数千回から１万回の繰り返し耐久性能を有する。従って、電源の無い遠方の地域で使用されても故障の心配が無く、メンテナンスフリーの昇降装置である。
【００７１】
第４の発明によれば、ワイヤに対するボールの圧接力によりワイヤを拘束するから、圧接摩擦力より大きな手動力でワイヤを下降させればワイヤは簡単に下降し、しかもその手動力を取りさればボールの圧接摩擦力が直ちに作用してワイヤを瞬時に停止できる。つまり、手動でワイヤを下降させ、手を外せばワイヤはその位置で停止するから、極めて俊敏な下降・停止動作が実現できる。また、ワイヤ拘束体を手動で下方に引っ張るだけでボールの圧接は無くなり、ワイヤは自動的に上昇するから、ワイヤの収納や吊下物の上昇が自動的に為される。
【００７２】
第５の発明によれば、制動部材を制動軸と連結する限り、ワイヤの低速上昇が安定して実現でき、安全確実で騒音の無い昇降操作が実現できる。また、制動部材を制動軸から取り外せば、制動軸による制動作用が無くなり、ワイヤの高速上昇が発現する。制動作用によるワイヤの低速上昇はワイヤの収納の安全性を高め、また吊下物の上昇動作でも微妙な高さ調整を可能にする。制動軸には油圧ダンパー、機械摩擦ダンパー、磁石による電磁ダンパー、機械的締付ダンパーなどの各種の制動用ダンパーが利用できる。
【００７３】
第６の発明によれば、昇降装置を天井や壁面など室内にコンパクトに配置でき、また手動により係止手段を任意位置まで簡単に下降でき、ストッパー解除による上昇操作と手動による下降操作の組み合わせだけで、年少から年長に至る任意の人達が小さな力で極めて簡単に吊下物の高さ調整や、ワイヤの収納操作を実施できる利点がある。特に、医療用輸液容器を吊下物とした場合には、点滴操作が極めて簡単に実現できる利点がある。
【図面の簡単な説明】
【図１】本発明に係る昇降装置２の分解斜視図である。
【図２】本発明に係る昇降装置２の内部構造の平面図である。
【図３】本発明に係る昇降装置２の制動機構近傍の横断面図である。
【図４】本発明に係る昇降装置２の正面図である。
【図５】本発明に係る昇降装置２のストッパー５０の拡大縦断面図である。
【図６】本発明に係る昇降装置２のストッパー５０におけるワイヤ拘束体６０の外観図である。
【図７】ワイヤ４を固定又は下降させる場合においてワイヤ４を拘束した状態のストッパー５０の拡大縦断面図である。
【図８】ワイヤ４を巻き取る場合においてワイヤ４の拘束を解除した状態のストッパー５０の拡大縦断面図である。
【図９】本発明に係る昇降装置を用いて吊下物の一種である治療用輸液容器を昇降調整する場合の使用説明図である。
【図１０】治療用輸液容器を従来の固定スタンドに吊下げる場合の使用状態図である。
【符号の説明】
２は昇降装置、４はワイヤ、６は重錘、８は係止手段、１０は基板、１２は取付部材、１４は水平板、１６は垂直板、１８はボルト状突起、１９はナット、２０はワイヤ挿通用ナット、２２は巻取ドラム、２４は巻取付勢手段、２６は補助付勢ドラム、２８は主付勢ドラム、３０はテープスプリング、３０ａはテープ端部、３２はネジ、３４は制動手段、３５は制動部材、３５ａはネジ、３５ｂは制動板、３５ｃは制動突出部、３５ｄは制動キー、３６は固定部材、３７は制動軸、３７ａはキー溝、３７ｂは軸端部、３８は天板、３８ａは固定孔、３９は側板、４０は折曲板、４０ａはネジ孔、４２はネジ、４４はワッシャ、５０はストッパー、５１はケーシング、５２は雌ネジ部、５３はテーパ部、５４は縮径空間、５５は段部、５６は細空間、５７は雄ネジ突出部、６０はワイヤ拘束体、６１は基部、６２は空間、６３は突出管、６４はテーパ管、６５はテーパ管下端、６６はテーパ管上端、６７は先端管、６８は孔部、６９はボール、７０はリング、７２はピン、７４は雄ネジ管体、７５は雄ネジ管体上端、７６はスプリング、８０は天井、８２はボルト、８４はフック棒、８６はフック、８８は手、９０は治療用輸液容器、９０ａは容器口部、９２は吊紐部、９４は患者、９６は床、９７はスタンド、９８は水平バー、９９は吊フック、１００は点滴チューブ。
【図１】
2004141517.tif 000003
【図２】
2004141517.tif 000004
【図３】
2004141517.tif 000005
【図４】
2004141517.tif 000006
【図５】
2004141517.tif 000007
【図６】
2004141517.tif 000008
【図７】
2004141517.tif 000009
【図８】
2004141517.tif 000010
【図９】
2004141517.tif 000011
【図１０】
2004141517.tif 000012